(57)【要約】      （修正有）【課題】外箱の側面に折り線を追加することで外箱の変形を部分的に集中させ保管機能と美観性を向上させる梱包装置。【解決手段】筒状に形成された外箱１と外箱両端の開口部を閉塞する緩衝材３・４により被梱包物２を梱包する梱包装置において、外箱１の天面と底面を連結する側面と底面を連結する折り線の上方に折り線と平行に折り線８を設け、側面に設けられた折り線８は外箱両端の開口部まで延長せず側面の中間部分のみに設けたことにより保管時の保護機能を向上させる梱包装置である。【選択図】図１
2014076817.tif 000002
【特許請求の範囲】
【請求項１】
筒状に形成された外箱と、前記外箱両端の開口部を閉塞する緩衝材により被梱包物を梱包する梱包装置において、外箱の天面と底面を連結する両側面と底面を連結する第１折り線の上方に、前記第１折り線と平行に第２折り線を設け、側面に設けられた折り線は外箱両端の開口部まで延長されず側面の中間部分のみに設けられた梱包装置。
【請求項２】
外箱の側面と天面を連結する折り線の下方に前記折り線と平行に折り線を設け、側面と底面を連結する折り線の上方に設けられた折り線と同時に折り線を設け、これらの折り線は全て外箱両端の開口部まで延長されず側面の中間部分のみに設けられた請求項１記載の梱包装置。
【請求項３】
外箱の側面に設けられた折り線の両端をさらに延長し、延長した折り線は外箱側面を形成する折り線とは平行にならないように角度を設けた請求項１記載の梱包装置。
【発明の詳細な説明】
【技術分野】
【０００１】
本発明は、分離型空気調和器室内ユニットなど横長な形状をもつ被梱包物を支持し外力から保護する梱包装置に関するものである。
【背景技術】
【０００２】
従来の梱包装置は、図５に示すように被梱包物ａの両端を緩衝材ｂ、ｃで支持し、被梱包物ａと共に外箱ｄに挿入しバンドｅで結束したものであった。
【先行技術文献】
【特許文献】
【０００３】
【特許文献１】特開２０００−２１１６３０号公報
【発明の概要】
【発明が解決しようとする課題】
【０００４】
しかしながら、上記記載の梱包装置では倉庫に商品を保管しているときに上に積み上げられた商品の荷重を外箱と緩衝材で支える必要があり、外箱と緩衝材の外形寸法の違いから外箱に多く荷重がかかり外箱の変形に繋がる。そして、外箱が筒状を形成しているため両端の開口部が特に変形が目立ち緩衝材への負荷が増し、被梱包物の保護機能にも影響を与えると共に梱包装置としても外観の美観を損ない、商品価値の低下を招くなどの欠点があった。
【０００５】
本発明は、このような従来の欠点を解消するもので、筒状の外箱の側面下方の中間部分に折り線を設け、保管時の荷重による外箱の変形を防止し被梱包物の保護と梱包装置の美観低下を防止できる梱包装置である。
【課題を解決するための手段】
【０００６】
上記課題を解決するために、本発明の梱包装置は、筒状に形成された外箱の天面と底面を連結する両側面の底面を連結する折り線の上方に折り線と平行に折り線を設け、側面に設けられた折り線は外箱両端の開口部まで延長せず側面の中間部分のみに設ける。
【０００７】
これにより、倉庫保管時の梱包装置に保管荷重が掛かり、外箱が変形しても外箱側面に設けた折り線により外箱側面の中央部分に変形が集中し外箱両端の開口部の変形を少なくできる。そして、変形の少ない外箱両端部と緩衝材が一体となり保管時の荷重を支えることが可能となり、被梱包物の保護機能が増すと共に外箱自体の変形が少なく梱包装置としての美観性を損なうことがない。
【０００８】
また、外箱の側面に設けた折り線と同様に、外箱両端まで延長されない折り線を側面と天面を連結する折り線の下方に設ける。または、側面と底面を連結する折り線の上方に設けられた折り線と同時に２ヶ所に折り線を設ける。
【０００９】
これにより、倉庫保管時の荷重による外箱の変形を側面中央部分に集中させ、梱包装置自体の美観性を損なうことを防止でき、折り線を使い分けることにより効果を向上させることも可能となる。
【００１０】
また、外箱の側面に設けられた折り線の両端をさらに延長すると共に外箱側面を形成する折り線とは平行にならないように角度を設ける。
【００１１】
これにより、外箱側面の変形がより中央部分に集中し外箱両端の開口部まで外箱の変形が拡大することを防止できる。
【発明の効果】
【００１２】
本発明の梱包装置は、筒状の外箱と外箱の両端開口部を閉塞する緩衝材で被梱包物を梱包する梱包装置において、外箱の側面に側面と底面とを連結する折り線と平行な折り線を設けることで保管時の荷重から外箱の変形を防止し保護機能と美観性を向上させる梱包装置である。
【図面の簡単な説明】
【００１３】
【図１】第１の実施形態における梱包装置の分解斜視図
【図２】第２の実施形態における梱包装置の外箱の展開図
【図３】第３の実施形態における梱包装置の外箱の展開図
【図４】第４の実施形態における梱包装置の外箱の要部展開図
【図５】従来例を示す梱包装置の分解斜視図
【発明を実施するための形態】
【００１４】
第１の発明は、筒状に形成された外箱と外箱両端の開口部を閉塞する緩衝材により被梱包物を梱包する梱包装置において、外箱の天面と底面を連結する両側面と底面を連結する折り線の上方に折り線と平行に折り線を設ける。さらに、側面に設けられた折り線は外箱両端の開口部まで延長されず側面の中間部分のみに設けられた梱包装置により、外箱の側面に折り線を設けることで梱包装置が倉庫などで保管されたとき、保管荷重で外箱に変形が発生しても側面に設けた折り線により外箱側面の中央部分に変形が集中し、外箱の両端開口部側の変形拡大を防止でき、保管時の美観性を損なう事もない。また、外箱と緩衝材で均等に保管荷重を支持することが可能となり被梱包物への負荷も低減し被梱包物の保護機能も向上する。
【００１５】
第２の発明は、外箱の側面と天面を連結する折り線の下方に折り線と平行に折り線を設ける。または、側面と底面を連結する折り線の上方に設けられた折り線と同時に折り線を設け、これらの折り線は全て外箱両端の開口部まで延長されず側面の中間部分のみに設けられることにより、
外箱の側面に設けた折り線の位置を変更したり折り線の本数を変えることによっても外箱の変形防止効果を得ることが可能となり、梱包装置によって使い分けを図ることで梱包装置の美観性を向上させたり組立作業性を向上させることが可能である。
【００１６】
第３の発明は、外箱の側面に設けられた折り線の両端をさらに延長し、延長した折り線は外箱側面を形成する折り線とは平行にならないように角度を設けたことにより、折り線終端の角度を変えて延長することで、保管荷重により外箱が変形したとき側面の中央部分が折り線で変形し、外箱両端の開口部まで変形が促進することを防止して外箱両端の開口部が広がり易くなることを防止できる。
【００１７】
（実施の形態１）
図１は、本発明の第１の実施形態における梱包装置の分解斜視図、図２は梱包装置に使用される外箱の展開図である。
【００１８】
両端を開口し筒状に形成された外箱１に被梱包物２の両端を支持し外力より被梱包物２を保護する緩衝材３・４を設け、緩衝材３・４と共に被梱包物２を外箱１の中に挿入し外箱１両端の開口部を閉塞し、バンド５にて結束する梱包装置において、図２に詳細に示すように、外箱１の側面を形成する側面６に底面を形成する底面７より若干距離を取って折り線８を設ける。この折り線８は、側面６と底面７を連結する折り線と平行に設け、外箱
１の両端開口部側まで延長されないように設けられている。
【００１９】
以上のように、本実施例の形態においては、外箱側面に折り線を設けたことで保管荷重による外箱の変形が発生しても外箱の両端開口部までの変形拡大を防止でき、保管時の美観性を損なわず、保管荷重も均等に支持することが可能となり被梱包物への負荷も低減できる。
【００２０】
（実施の形態２）
図３は、本発明の第２の実施形態における梱包装置に使用される外箱の展開図である。
【００２１】
外箱１に設けた折り線８以外に、外箱１の側面６の天面９より若干距離を取り、折り線８と同様に外箱１の両端開口部まで延長されない折り線１０を設ける。または、折り線８と同時に折り線１０を設ける。
【００２２】
以上のように、本実施例の形態においては、外箱の側面に設けた折り線の位置を変更したり折り線の本数を変えることによっても外箱の変形防止の効果があり、使い分けを図ることで梱包装置の美観性を向上させたり組立作業性を向上させることが可能である。
【００２３】
（実施の形態３）
図４は、本発明の第３の実施形態における梱包装置に使用される外箱の要部展開図である。
外箱１に設けられた折り線８・１０は、折り線の終端から更に折り線１１・１２を延長し、延長した折り線１１・１２は折り線８・１０より底面７、天面９に向けて角度を持たせたる。
【００２４】
以上のように、本実施例の形態においては、折り線の終端の角度を変えて延長することで、保管荷重により外箱両端開口部が変形しやすくなることを防止できる。
【産業上の利用可能性】
【００２５】
以上のように、本発明にかかる梱包装置は外箱の側面に折り線を設けることで外箱の変形を防止し保管機能の向上を図れるもので、筒状の外箱に挿入される被梱包物以外でも同様の効果を得ることができる。
【符号の説明】
【００２６】
１  外箱
２  被梱包物
３、４  緩衝材
５  バンド
６  外箱の側面
７  外箱の底面
８  折り線
９  外箱の天板
１０  折り線
１１  延長した折り線
１２  延長した折り線
【図１】
2014076817.tif 000003
【図２】
2014076817.tif 000004
【図３】
2014076817.tif 000005
【図４】
2014076817.tif 000006
【図５】
2014076817.tif 000007